(57)【要約】【課題】選択項目を検索しやすい表示装置および拡大表示方法を提供する。【解決手段】この映像装置１００（表示装置）は、第１カーソル４１および第２カーソル４４と複数のアイコン４０の一部が拡大表示される拡大表示領域４２とを表示可能な表示画面部２２と、操作ボタン１１および十字キー１２と、操作ボタン１１および十字キー１２の操作に基づいて、拡大表示領域４２を拡大表示領域４２内に位置する第１カーソル４１の移動に伴って移動させるように制御し、拡大表示領域４２を表示画面部２２上に固定するように制御するとともに、固定された拡大表示領域４２において、第２カーソル４４を拡大表示領域４２外へは移動させずに拡大表示領域４２内で移動可能にして、固定された拡大表示領域４２内の複数のアイコン４０のうちのいずれかを選択可能なように制御する制御部２３とを備える。【選択図】図１０
2010165291.tif 000002
【特許請求の範囲】
【請求項１】
複数の選択項目と、カーソルと、前記複数の選択項目の一部が拡大表示される拡大表示領域とを表示可能な表示部と、
前記カーソル近傍の前記複数の選択項目を拡大表示する操作と、前記拡大表示した複数の選択項目のうちから任意の選択項目を前記カーソルにより選択する操作とを行うための操作部と、
前記操作部の操作に基づいて、前記カーソル近傍の前記複数の選択項目を含む前記拡大表示領域を前記表示部に表示させるとともに、前記拡大表示領域を前記拡大表示領域内に位置する前記カーソルの移動に伴って移動させるように制御し、前記操作部の操作に基づいて、前記拡大表示領域を前記表示部上に固定するように制御するとともに、固定された前記拡大表示領域において、前記カーソルを前記拡大表示領域外へは移動させずに前記拡大表示領域内で移動可能にして、前記固定された拡大表示領域内の前記複数の選択項目のうちのいずれかを選択可能なように制御する制御部とを備える、表示装置。
【請求項２】
前記カーソルは、前記表示部内を移動可能で、前記カーソル近傍の前記複数の選択項目の拡大表示と前記拡大表示領域の移動とを行う際に用いられる第１カーソルと、
前記拡大表示領域が固定された状態で、前記拡大表示領域外へは移動せずに前記拡大表示領域内で移動可能で、前記固定された拡大表示領域内の前記複数の選択項目のうちのいずれかを選択する際に用いられる第２カーソルとを含み、
前記第１カーソルと前記第２カーソルとは前記表示部に選択的に表示されて使用されるように構成されている、請求項１に記載の表示装置。
【請求項３】
前記第１カーソルおよび前記第２カーソルは互いに識別可能に表示される、請求項２に記載の表示装置。
【請求項４】
前記第１カーソルは、前記拡大表示領域が表示された後、前記拡大表示領域が固定される際に表示が解除され、
前記第２カーソルは、前記拡大表示領域が固定される際に前記第１カーソルに代えて前記拡大表示領域内に表示され、
前記拡大表示領域および前記第２カーソルが表示されている状態で、前記拡大表示領域の表示が解除された場合には、前記第２カーソルに代えて前記第１カーソルが表示されるように構成されている、請求項２または３に記載の表示装置。
【請求項５】
前記操作部は、前記拡大表示領域の表示に関する操作を行うための第１操作部と、前記第１カーソル、前記第２カーソルおよび前記拡大表示領域の移動に関する操作を行うための第２操作部とを有し、
前記第１操作部の操作を継続した状態で前記第２操作部が操作された場合に、前記制御部は、前記拡大表示領域を前記拡大表示領域内に位置する前記第１カーソルの移動に伴って移動させるように制御するように構成されている、請求項２〜４のいずれか１項に記載の表示装置。
【請求項６】
前記第１操作部が継続的に操作されている状態から、前記第１操作部の操作が解除された場合に、前記制御部は、前記拡大表示領域を固定させるように制御するように構成されている、請求項５に記載の表示装置。
【請求項７】
前記拡大表示領域が固定された状態で、前記第２操作部が操作された場合に、前記制御部は、前記第２カーソルを前記拡大表示領域内で移動可能に制御するように構成されている、請求項５または６に記載の表示装置。
【請求項８】
前記拡大表示領域が固定され、かつ、前記拡大表示領域内に位置する拡大表示された前記選択項目上に前記第２カーソルが位置する状態で、前記第１操作部が操作された場合に、前記制御部は、前記第２カーソルが位置する前記選択項目を選択決定するように制御するように構成されている、請求項５〜７のいずれか１項に記載の表示装置。
【請求項９】
前記拡大表示領域が固定され、かつ、前記拡大表示領域内に位置する拡大表示された前記複数の選択項目上に前記第２カーソルが位置しない状態で、前記第１操作部が操作された場合に、前記制御部は、前記拡大表示領域および前記第２カーソルの表示を解除するとともに、前記第１カーソルを前記表示部内で移動可能に制御するように構成されている、請求項５〜８のいずれか１項に記載の表示装置。
【請求項１０】
前記第２カーソルは、前記拡大表示領域が固定された状態で、前記拡大表示領域内に位置する拡大表示された前記複数の選択項目を跨いで前記複数の選択項目間を選択的に移動するように前記表示部に表示される、請求項２〜８のいずれか１項に記載の表示装置。
【請求項１１】
操作部の操作に基づいて、表示部に表示されたカーソル周辺の複数の選択項目の一部が拡大表示された拡大表示領域を、前記拡大表示領域内に位置する前記カーソルの移動に伴って移動可能に前記表示部に表示させるステップと、
前記操作部の操作に基づいて、前記拡大表示領域を前記表示部上に固定するとともに、前記カーソルを、固定された前記拡大表示領域外へは移動させずに前記拡大表示領域内で移動可能に前記表示部に表示させるステップと、
前記固定された拡大表示領域に表示された前記カーソルによって前記拡大表示領域内の前記複数の選択項目のうちのいずれかを選択可能なように制御するステップとを備える、拡大表示方法。
【請求項１２】
前記カーソルは、前記表示部内を移動可能で、前記カーソル近傍の前記複数の選択項目の拡大表示と前記拡大表示領域の移動とを行う際に用いられる第１カーソルと、
前記拡大表示領域が固定された状態で、前記拡大表示領域外へは移動せずに前記拡大表示領域内で移動可能で、前記固定された拡大表示領域内の前記複数の選択項目のうちのいずれかを選択する際に用いられる第２カーソルとを含み、
前記第１カーソルと前記第２カーソルとは前記表示部に選択的に表示されて使用される、請求項１１に記載の拡大表示方法。
【発明の詳細な説明】
【技術分野】
【０００１】
この発明は、表示装置および拡大表示方法に関し、特に、表示部においてカーソルと拡大表示領域とが表示される表示装置および拡大表示方法に関する。
【背景技術】
【０００２】
従来、表示部においてカーソルと拡大表示領域とが表示される表示装置および拡大表示方法が知られている（たとえば、特許文献１〜３参照）。
【０００３】
上記特許文献１には、マウスカーソルおよび拡大カーソル表示領域を表示する画面と、マウスなどの入力装置（操作部）と、ＣＰＵ（制御部）とを備える拡大表示装置が開示されている。この拡大表示装置では、カーソルの位置する領域において、拡大カーソル表示領域がカーソルを中心として表示され、拡大カーソル表示領域内の拡大したい対象が拡大表示されるように構成されている。また、拡大カーソル表示領域内にカーソルが位置する状態で操作者が入力装置によって指示を与えると、カーソルの位置において文字の入力などの所定の処理がなされるように構成されている。また、カーソルを移動させると、拡大カーソル表示領域の表示が解除されるとともに、カーソルを停止させると、新たにカーソルが停止した位置において、拡大カーソル表示領域が表示されるように構成されている。
【０００４】
また、上記特許文献２には、マウスカーソルとアイコンからなる反応領域とを別々に表示する画面と、マウスなどのポインティングデバイス（操作部）と、ＣＰＵ（制御部）とを備える反応領域拡大装置が開示されている。この反応領域拡大装置では、前もって登録された反応領域内にマウスカーソルが位置する状態で操作者がマウスなどに対してクリック操作を行うと、反応領域であるアイコンに対応する処理がなされるように構成されている。一方、反応領域外にマウスカーソルが位置する状態で操作者がクリック操作を行うと、画面上に反応領域が拡大されて表示され、拡大された反応領域内にマウスカーソルが位置する状態で操作者がマウスなどに対してクリック操作を行うと、拡大された反応領域のアイコンに対応する処理がなされるように構成されている。
【０００５】
また、上記特許文献３には、画像の全体図が表示される画像全体図と画像の部分の拡大図が表示される画像部分拡大図とカーソルとを表示するコンピュータ画面と、ポインティングデバイス（操作部）と、コンピュータ本体とを備える画像表示装置が開示されている。この画像表示装置では、画像全体図と画像部分拡大図とがコンピュータ画面に同時に表示され、画像全体図に表示されたカーソルの移動に追従して画像部分拡大図における画像の拡大部分が移動するように構成されている。そして、カーソルを画像全体図の任意の位置に移動させた状態で任意のボタンを押下することによって、カーソルが画像部分拡大図に移動し、画像部分拡大図において、画像処理が可能なように構成されている。
【先行技術文献】
【特許文献】
【０００６】
【特許文献１】特開平１１−２８３０４４号公報
【特許文献２】特開平９−２５１３４１号公報
【特許文献３】特開２００１−２７２９６３号公報
【発明の概要】
【発明が解決しようとする課題】
【０００７】
しかしながら、上記特許文献１に記載の拡大表示装置では、カーソルを移動させると移動前の拡大カーソル表示領域の表示が解除されて、移動先のカーソルの停止している位置において拡大カーソル表示領域が表示されるように構成されているため、拡大表示させながら対象の検索を行う場合に、カーソルの停止と拡大表示領域の表示とを繰り返し行う必要がある。このため、対象を検索しにくいという問題点があると考えられる。
【０００８】
また、上記特許文献２に記載の反応領域拡大装置では、前もって登録された反応領域のみが拡大されて画面上に表示されるため、拡大を望む領域が複数ある場合、複数の反応領域を個々に登録する必要がある。この場合、登録されていないアイコンは拡大されないため、任意のアイコンなどの選択項目を検索しにくいという問題点がある。
【０００９】
また、上記特許文献３の画像表示装置では、画像部分拡大図外の画像全体図に位置するカーソルの動きに追従して画像部分拡大図の拡大部分が移動するため、操作者は、画像部分拡大図の拡大部分を確認するためにカーソルから目を離す必要がある。このため、再度画像全体図に目を戻した際に、カーソルの位置を見失う虞があるという不都合がある。したがって、検索対象を検索しにくいという問題点がある。
【００１０】
この発明は、上記のような課題を解決するためになされたものであり、この発明の１つの目的は、選択項目を検索しやすい表示装置および拡大表示方法を提供することである。
【課題を解決するための手段および発明の効果】
【００１１】
この発明の第１の局面による表示装置は、複数の選択項目と、カーソルと、複数の選択項目の一部が拡大表示される拡大表示領域とを表示可能な表示部と、カーソル近傍の複数の選択項目を拡大表示する操作と、拡大表示した複数の選択項目のうちから任意の選択項目をカーソルにより選択する操作とを行うための操作部と、操作部の操作に基づいて、カーソル近傍の複数の選択項目を含む拡大表示領域を表示部に表示させるとともに、拡大表示領域を拡大表示領域内に位置するカーソルの移動に伴って移動させるように制御し、操作部の操作に基づいて、拡大表示領域を表示部上に固定するように制御するとともに、固定された拡大表示領域において、カーソルを拡大表示領域外へは移動させずに拡大表示領域内で移動可能にして、固定された拡大表示領域内の複数の選択項目のうちのいずれかを選択可能なように制御する制御部とを備える。
【００１２】
この第１の局面による表示装置では、上記のように、制御部によって、操作部の操作に基づいて、カーソル近傍の複数の選択項目を含む拡大表示領域を表示部に表示させるとともに、拡大表示領域を拡大表示領域内に位置するカーソルの移動に伴って移動させるように制御させることによって、カーソルを移動させることにより拡大表示領域が連続的に移動されて、拡大表示領域内において拡大表示される選択項目も連続的に変化されるので、拡大表示領域を常に表示しながら選択項目の検索を行うことができる。これにより、拡大表示させながら選択項目の検索を行う際に、カーソルの停止と拡大表示領域の表示とを繰り返し行う必要がないので、容易に選択項目を検索することができる。また、拡大表示領域内に位置するカーソルの移動に伴って拡大表示領域を移動させることによって、操作者は移動した拡大表示領域内の選択項目を確認する際にカーソルから目を離す必要がない。また、固定された拡大表示領域において、カーソルを拡大表示領域外へは移動させずに拡大表示領域内で移動可能にすることによって、カーソルを拡大表示されている複数の選択項目の近傍に位置させることができるので、カーソルを見失う虞が少ない。これらにより、選択項目を検索しやすくすることができるので、選択項目の検索時の作業性を向上させることができる。
【００１３】
上記第１の局面による表示装置において、好ましくは、カーソルは、表示部内を移動可能で、カーソル近傍の複数の選択項目の拡大表示と拡大表示領域の移動とを行う際に用いられる第１カーソルと、拡大表示領域が固定された状態で、拡大表示領域外へは移動せずに拡大表示領域内で移動可能で、固定された拡大表示領域内の複数の選択項目のうちのいずれかを選択する際に用いられる第２カーソルとを含み、第１カーソルと第２カーソルとは表示部に選択的に表示されて使用されるように構成されている。このように構成すれば、拡大表示領域が共に移動する第１カーソルと、拡大表示領域内のみで移動可能な第２カーソルとを用いて選択項目を容易に検索することができる。
【００１４】
この場合、好ましくは、第１カーソルおよび第２カーソルは互いに識別可能に表示される。このように構成すれば、カーソルが拡大表示領域と共に移動する状態（第１カーソル）かまたはカーソルが拡大表示領域内のみで移動する状態（第２カーソル）かのいずれの状態であるかを明確に示すことができるので、より選択項目を検索しやすくすることができる。
【００１５】
上記カーソルが第１カーソルと第２カーソルとを含む表示装置において、好ましくは、第１カーソルは、拡大表示領域が表示された後、拡大表示領域が固定される際に表示が解除され、第２カーソルは、拡大表示領域が固定される際に第１カーソルに代えて拡大表示領域内に表示され、拡大表示領域および第２カーソルが表示されている状態で、拡大表示領域の表示が解除された場合には、第２カーソルに代えて第１カーソルが表示されるように構成されている。このように構成すれば、拡大表示領域の表示が解除された場合に、容易に第１カーソルを用いて、拡大表示領域を表示させる操作から再開することができる。
【００１６】
上記カーソルが第１カーソルと第２カーソルとを含む表示装置において、好ましくは、操作部は、拡大表示領域の表示に関する操作を行うための第１操作部と、第１カーソル、第２カーソルおよび拡大表示領域の移動に関する操作を行うための第２操作部とを有し、第１操作部の操作を継続した状態で第２操作部が操作された場合に、制御部は、拡大表示領域を拡大表示領域内に位置する第１カーソルの移動に伴って移動させるように制御するように構成されている。このように構成すれば、第１操作部の操作を継続した状態でのみ拡大表示領域を移動させることができるので、操作者に拡大表示領域の移動を意識的に行わせることができる。これにより、より選択項目を検索しやすくすることができる。
【００１７】
この場合、好ましくは、第１操作部が継続的に操作されている状態から、第１操作部の操作が解除された場合に、制御部は、拡大表示領域を固定させるように制御するように構成されている。このように構成すれば、操作者は、第１操作部のみを操作するだけで、拡大表示領域の表示から固定までを行うことができる。これにより、より選択項目を検索しやすくすることができる。
【００１８】
上記操作部が第１操作部と第２操作部とを有する表示装置において、好ましくは、拡大表示領域が固定された状態で、第２操作部が操作された場合に、制御部は、第２カーソルを拡大表示領域内で移動可能に制御するように構成されている。このように構成すれば、第２カーソルは、拡大表示領域が固定された状態で、拡大表示領域外へ移動しないので、第２操作部を誤って操作したとしても、第２カーソルを見失う虞は少ない。これによっても、より選択項目を検索しやすくすることができる。
【００１９】
上記操作部が第１操作部と第２操作部とを有する表示装置において、好ましくは、拡大表示領域が固定され、かつ、拡大表示領域内に位置する拡大表示された選択項目上に第２カーソルが位置する状態で、第１操作部が操作された場合に、制御部は、第２カーソルが位置する選択項目を選択決定するように制御するように構成されている。このように構成すれば、第１操作部を用いて、拡大表示領域内に位置する拡大表示された複数の選択項目のうちのいずれか１つの選択項目を容易に選択決定することができるので、選択項目の検索後の選択決定も容易に行うことができる。
【００２０】
上記操作部が第１操作部と第２操作部とを有する表示装置において、好ましくは、拡大表示領域が固定され、かつ、拡大表示領域内に位置する拡大表示された複数の選択項目上に第２カーソルが位置しない状態で、第１操作部が操作された場合に、制御部は、拡大表示領域および第２カーソルの表示を解除するとともに、第１カーソルを表示部内で移動可能に制御するように構成されている。このように構成すれば、誤って拡大表示領域を固定した場合においても、第１操作部を用いることにより、容易に拡大表示領域および第２カーソルの表示を解除することができる。また、拡大表示領域および第２カーソルの表示の解除後に、表示部内を移動可能になった第１カーソルにより拡大表示領域を再び表示させて移動させるとともに、再度拡大表示領域を固定することによって、適切な位置で固定された拡大表示領域において、再度表示された第２カーソルを用いて選択項目の選択および決定を行うことができる。
【００２１】
上記第１の局面による表示装置において、好ましくは、第２カーソルは、拡大表示領域が固定された状態で、拡大表示領域内に位置する拡大表示された複数の選択項目を跨いで複数の選択項目間を選択的に移動するように表示部に表示される。このように構成すれば、選択対象である選択項目上のみを第２カーソルが移動するので、第２カーソルの位置を見失う虞をさらに少なくすることができるので、さらに選択項目の検索時の作業性を向上させることができる。
【００２２】
この発明の第２の局面による拡大表示方法は、操作部の操作に基づいて、表示部に表示されたカーソル周辺の複数の選択項目の一部が拡大表示された拡大表示領域を、拡大表示領域内に位置するカーソルの移動に伴って移動可能に表示部に表示させるステップと、操作部の操作に基づいて、拡大表示領域を表示部上に固定するとともに、カーソルを、固定された拡大表示領域外へは移動させずに拡大表示領域内で移動可能に表示部に表示させるステップと、固定された拡大表示領域に表示されたカーソルによって拡大表示領域内の複数の選択項目のうちのいずれかを選択可能なように制御するステップとを備える。
【００２３】
この第２の局面による拡大表示方法では、上記のように、操作部の操作に基づいて、表示部に表示されたカーソル周辺の複数の選択項目の一部が拡大表示された拡大表示領域を、拡大表示領域内に位置するカーソルの移動に伴って移動可能に表示部に表示させるステップを備えることによって、カーソルを移動させることにより拡大表示領域が連続的に移動されて、拡大表示領域内において拡大表示される選択項目も連続的に変化されるので、拡大表示領域を常に表示しながら選択項目の検索を行うことができる。これにより、拡大表示させながら選択項目の検索を行う際に、カーソルの停止と拡大表示領域の表示とを繰り返し行う必要がないので、容易に選択項目を検索することができる。また、拡大表示領域内に位置するカーソルの移動に伴って拡大表示領域を移動させることによって、操作者は移動した拡大表示領域内の選択項目を確認する際にカーソルから目を離す必要がない。また、カーソルを、固定された拡大表示領域外へは移動させずに拡大表示領域内で移動可能に表示部に表示させるステップを備えることによって、カーソルを拡大表示されている複数の選択項目の近傍に位置させることができるので、カーソルを見失う虞が少ない。これらにより、選択項目を検索しやすくすることができるので、選択項目の検索時の作業性を向上させることができる。
【００２４】
上記第２の局面による拡大表示方法において、好ましくは、カーソルは、表示部内を移動可能で、カーソル近傍の複数の選択項目の拡大表示と拡大表示領域の移動とを行う際に用いられる第１カーソルと、拡大表示領域が固定された状態で、拡大表示領域外へは移動せずに拡大表示領域内で移動可能で、固定された拡大表示領域内の複数の選択項目のうちのいずれかを選択する際に用いられる第２カーソルとを含み、第１カーソルと第２カーソルとは表示部に選択的に表示されて使用される。このように構成すれば、拡大表示領域が共に移動する第１カーソルと、拡大表示領域内のみで移動可能な第２カーソルとを用いて選択項目を容易に検索することができる。
【図面の簡単な説明】
【００２５】
【図１】本発明の第１実施形態による映像装置の全体構成を示した図である。
【図２】図１に示した映像装置のリモートコントローラの構成を示した斜視図である。
【図３】図１に示した映像装置のリモートコントローラの構成を示した上面図である。
【図４】図１に示した映像装置のリモートコントローラの内部構成を示すブロック図である。
【図５】図１に示した映像装置の液晶テレビジョンの内部構成を示すブロック図である。
【図６】図１に示した映像装置の液晶テレビジョンの選択画面が表示された状態を示す図である。
【図７】本発明の第１実施形態による映像装置の拡大表示動作を説明するための図である。
【図８】本発明の第１実施形態による映像装置の拡大表示動作を説明するための図である。
【図９】本発明の第１実施形態による映像装置の拡大表示動作を説明するための図である。
【図１０】本発明の第１実施形態による映像装置の拡大表示動作を説明するための図である。
【図１１】本発明の第１実施形態による映像装置の拡大表示動作を説明するための図である。
【図１２】本発明の第１実施形態による映像装置の拡大表示動作を説明するための図である。
【図１３】本発明の第１実施形態による映像装置のリモートコントローラにおける拡大表示動作の制御フローを説明するための図である。
【図１４】本発明の第１実施形態による映像装置の液晶テレビジョンの選択画面への切替時の制御フローを説明するための図である。
【図１５】本発明の第１実施形態による映像装置の液晶テレビジョンの第１カーソルの移動時の制御フローを説明するための図である。
【図１６】本発明の第１実施形態による映像装置の液晶テレビジョンの拡大表示領域の表示、移動および固定時の制御フローを説明するための図である。
【図１７】本発明の第１実施形態による映像装置の液晶テレビジョンの拡大表示領域が固定された状態における制御フローを説明するための図である。
【図１８】本発明の第２実施形態によるノートパソコンの全体構成を示した図である。
【図１９】図１８に示したノートパソコンの内部構成を示すブロック図である。
【図２０】本発明の第２実施形態によるノートパソコンの拡大表示動作を説明するための図である。
【図２１】本発明の第２実施形態によるノートパソコンの拡大表示動作を説明するための図である。
【図２２】本発明の第２実施形態によるノートパソコンの選択画面への切替時の制御フローを説明するための図である。
【図２３】本発明の第２実施形態によるノートパソコンの第１カーソルの移動時の制御フローを説明するための図である。
【図２４】本発明の第２実施形態によるノートパソコンの拡大表示領域の表示、移動および固定時の制御フローを説明するための図である。
【図２５】本発明の第２実施形態によるノートパソコンの拡大表示領域が固定された状態における制御フローを説明するための図である。
【発明を実施するための形態】
【００２６】
以下、本発明を具体化した実施形態を図面に基づいて説明する。
【００２７】
（第１実施形態）
まず、図１〜図６、図８および図１０を参照して、本発明の第１実施形態による映像装置１００の構成について説明する。なお、映像装置１００は、本発明の「表示装置」の一例である。
【００２８】
本発明の第１実施形態による映像装置１００は、図１に示すように、リモートコントローラ１と、液晶テレビジョン２とを備える。
【００２９】
また、リモートコントローラ１は、図２〜図４に示すように、筐体１０と、操作ボタン１１と、十字キー１２と、制御部１３と、発信部１４とを含んでいる。また、筐体１０は、直方体形状を有する。また、図１に示すように、操作ボタン１１は、筐体１０のＸ１方向側の上面上に設けられており、操作者の押下により液晶テレビジョン２の後述する表示画面部２２の後述するアイコン４０（図６参照）の決定と後述する拡大表示領域４２（図８参照）の決定および解除とを行う際に用いる。また、十字キー１２は、筐体１０の略中央部の上面上に設けられており、液晶テレビジョン２の表示画面部２２の後述する第１カーソル４１（図６参照）および第２カーソル４４（図１０参照）を上下左右（Ｘ３、Ｘ４、Ｙ３およびＹ４）に移動させる際に、操作者が上下左右（Ｘ１、Ｘ２、Ｙ１およびＹ２）の端部１２ａ、１２ｂ、１２ｃおよび１２ｄを押下するためのものである。なお、操作ボタン１１は、本発明の「第１操作部」および「操作部」の一例であり、十字キー１２は、本発明の「第２操作部」および「操作部」の一例である。
【００３０】
また、制御部１３は、図４に示すように、操作ボタン１１および十字キー１２における押下に反応して、表示画面部２２のアイコン４０（図６参照）の決定と拡大表示領域４２（図８参照）の決定および解除とに関する決定解除制御信号と第１カーソル４１（図６参照）および第２カーソル４４（図１０参照）の上下左右移動に関する移動制御信号とを発信部１４に出力する機能を有する。また、発信部１４は、電波通信によって、制御部１３から出力された制御信号を外部に向けて発信する機能を有する。
【００３１】
また、液晶テレビジョン２は、図１に示すように、筐体２０と、受信部２１と、表示画面部２２とを含んでいる。また、筐体２０の正面に、表示画面部２２が配置されているとともに、筐体２０の正面のＸ４方向かつＹ３方向の端部には、受信部２１が配置されている。この受信部２１は、発信部１４から発信された決定解除制御信号および移動制御信号を受信するとともに、後述する制御部２３（図５参照）に決定解除制御信号および移動制御信号を出力する機能を有する。また、表示画面部２２は、略平坦面状に形成されており、表示画像３と、後述する複数のアイコン４０（図６参照）、拡大表示領域４２（図８参照）、第１カーソル４１（図６参照）および第２カーソル４４（図１０参照）とを表示可能なように構成されている。なお、表示画面部２２は、本発明の「表示部」の一例である。
【００３２】
また、液晶テレビジョン２は、図５に示すように、制御部２３と、フラッシュメモリなどの不揮発性メモリなどからなる記憶部２４と、ＨＤＤ（Ｈａｒｄ  Ｄｉｓｋ  Ｄｒｉｖｅ）２５とをさらに含んでいる。制御部２３は、受信部２１から出力された決定解除制御信号に対応して、アイコン４０の決定と拡大表示領域４２の決定および解除とに対応する処理を行うとともに、移動制御信号に対応して、表示画面部２２の第１カーソル４１および第２カーソル４４の上下左右移動に対応する処理を行う機能を有する。また、制御部２３は、上記処理に対応する表示内容を表示画面部２２に出力する機能も有する。なお、制御部２３の具体的な制御の内容については後述する。また、記憶部２４には、予め制御信号に関する処理情報が記憶されており、制御部２３によって、決定解除制御信号および移動制御信号に関する処理情報が記憶部２４から読み出されるように構成されている。また、記憶部２４には、アイコン４０の表示フォーマットや、表示画面部２２の状態なども記憶されるように構成されている。また、ＨＤＤ２５には、表示画面部２２のアイコン４０に対応する複数の表示画像が記憶されている。制御部２３は、所定のアイコン４０が選択された場合に、ＨＤＤ２５に記憶されている所定のアイコン４０に対応した表示画像データを読み出して表示画面部２２に表示させるように構成されている。また、図１に示した表示画像３は、録画画像などからなり、ＨＤＤ２５に記憶されている複数の表示画像の一例である。
【００３３】
次に、図１および図５〜図１２を参照して、本発明の第１実施形態による映像装置１００の拡大表示動作の概略を説明する。
【００３４】
まず、図１に示すように、表示画面部２２には、表示画像３が表示されている。ここで、操作者が操作ボタン１１を押下することによって、表示画面部２２に表示された表示画像３は、図６に示す複数のアイコン４０が表示された選択画面４に切り替えられる。この複数のアイコン４０は、それぞれ、ＨＤＤ２５に記憶されている複数の表示画像に対応しており、以下の説明では、アイコン４０ａ（Ａ１）、アイコン４０ｂ（Ａ２）、アイコン４０ｃ（Ａ３）、アイコン４０ｄ（Ｂ１）、アイコン４０ｅ（Ｂ２）およびアイコン４０ｆ（Ｂ３）を例として説明する。なお、アイコン４０（４０ａ〜４０ｆ）は、本発明の「選択項目」の一例である。
【００３５】
そして、この選択画面４では、表示画面部２２の中央部に第１カーソル４１が表示される。この第１カーソル４１は、黒く塗りつぶされた黒塗りの矢印として表示される。また、第１カーソル４１が選択画面４に表示された状態（操作者が操作ボタン１１を押下した状態）で、操作者がリモートコントローラ１の十字キー１２の上下左右（Ｘ１、Ｘ２、Ｙ１およびＹ２）の端部１２ａ〜１２ｄを押下することによって、図７に示すように、第１カーソル４１は、十字キー１２の上下左右の端部１２ａ〜１２ｄの押下に対応して、上下左右（Ｘ３、Ｘ４、Ｙ３およびＹ４）に移動するように表示される。また、第１カーソル４１は、表示画面部２２のどの場所にも移動可能なように表示される。なお、第１カーソル４１は、本発明の「カーソル」の一例である。
【００３６】
ここで、第１実施形態では、第１カーソル４１が選択画面４に表示された状態（図７の状態）で、操作者が操作ボタン１１を押下することによって、図８に示すように、第１カーソル４１の矢印の先端部を中心に、楕円形状を有する拡大表示領域４２が表示される。この拡大表示領域４２の内部では、第１カーソル４１の矢印の先端部の周辺に位置するアイコン４０が約２倍に拡大表示され、拡大アイコン４３が表示される。たとえば、図７に示したアイコン４０ａ（Ａ１）、アイコン４０ｂ（Ａ２）、アイコン４０ｄ（Ｂ１）およびアイコン４０ｅ（Ｂ２）が、それぞれ、拡大表示領域４２の内部において、図８に示す拡大アイコン４３ａ（Ａ１）、拡大アイコン４３ｂ（Ａ２）、拡大アイコン４３ｄ（Ｂ１）および拡大アイコン４３ｅ（Ｂ２）として表示される。
【００３７】
また、第１実施形態では、操作者が操作ボタン１１の押下を継続した状態で、操作者がリモートコントローラ１の十字キー１２の上下左右の端部１２ａ〜１２ｄを押下した場合、図９に示すように、第１カーソル４１は、十字キー１２の上下左右の端部１２ａ〜１２ｄの押下に対応して、上下左右に移動するように表示されるとともに、第１カーソル４１を中心として形成された拡大表示領域４２も、第１カーソル４１に追従して上下左右（Ｘ３、Ｘ４、Ｙ３およびＹ４）に移動するように表示される。その際、拡大表示領域４２の内部に表示されている拡大アイコン４３は、第１カーソル４１の矢印の先端部の周辺に位置するアイコン４０が拡大表示に切り替わって表示される。たとえば、図８に示した拡大アイコン４３ａ（Ａ１）、４３ｂ（Ａ２）、４３ｄ（Ｂ１）および４３ｅ（Ｂ２）が表示されている状態で、十字キー１２の下の端部１２ｂを押下した場合、第１カーソル４１は、下方向（Ｘ４方向）に移動されるとともに、拡大表示領域４２も、第１カーソル４１に追従して下方向（Ｘ４方向）に移動される。この移動によって、拡大表示領域４２の内部では、拡大アイコン４３ｂ（Ａ２）、拡大アイコン４３ｃ（Ａ３）、拡大アイコン４３ｅ（Ｂ２）および拡大アイコン４３ｆ（Ｂ３）が表示される。これらにより、第１カーソル４１は、表示画面部２２内を移動可能で、第１カーソル４１近傍の複数のアイコン４０の拡大表示と拡大表示領域４２の移動とを行う際に用いられる。
【００３８】
また、第１実施形態では、第１カーソル４１および拡大表示領域４２が選択画面４に表示された状態で、操作者が操作ボタン１１の押下を解除することによって、図１０に示すように、拡大表示領域４２が選択画面４（表示画面部２２）上で固定されるように表示される。そして、選択画面４において、第１カーソル４１の表示が解除され、第１カーソル４１が表示されていた位置に、第１カーソル４１に代わって第２カーソル４４が表示される。つまり、第２カーソル４４は拡大表示領域４２の中心に表示される。この第２カーソル４４は、黒塗りの第１カーソル４１（図６参照）と異なり、黒線によって縁取りされた白抜きの矢印として表示される。このように、第１カーソル４１と第２カーソル４４とは、操作者により識別可能に表示される。なお、第２カーソル４４は、本発明の「カーソル」の一例である。
【００３９】
また、第２カーソル４４が選択画面４に表示された状態で、操作者が十字キー１２の上下左右の端部１２ａ〜１２ｄを押下することによって、図１１に示すように、第２カーソル４４は、十字キー１２の上下左右の端部１２ａ〜１２ｄの押下に対応して、上下左右（Ｘ３、Ｘ４、Ｙ３およびＹ４）に移動するように表示される。なお、第２カーソル４４が拡大表示領域４２の楕円状の外縁部まで移動しても、第２カーソル４４は、拡大表示領域４２の外縁部を越えて拡大表示領域４２の外部に移動しない。すなわち、第２カーソル４４は、拡大表示領域４２外へは移動せずに拡大表示領域４２内で移動可能である。
【００４０】
また、第２カーソル４４がたとえば拡大アイコン４３ｂ（Ａ２）上に重なって表示されている状態において、操作者が操作ボタン１１を押下することにより、第２カーソル４４が位置する１つの拡大アイコン４３ｂ（Ａ２）が選択決定される。これにより、図１２に示すように、選択画面４が終了するとともに、選択決定された拡大アイコン４３ｂ（Ａ２）（アイコン４０ｂ（Ａ２）（図６参照））に対応するＨＤＤ２５に記憶されている表示画像５が制御部２３（図５参照）によって読み出されて表示画面部２２に表示される。これらにより、第２カーソル４４は、拡大表示領域４２が固定された状態で、拡大表示領域４２外へは移動せずに拡大表示領域４２内で移動可能で、固定された拡大表示領域４２内の複数の拡大アイコン４３のうちのいずれかを選択する際に用いられる。
【００４１】
また、図１０に示すように、第２カーソル４４が拡大表示領域４２内の拡大アイコン４３に重ならない位置において、操作者が操作ボタン１１を押下することによって、拡大表示領域４２および第２カーソル４４の表示が解除されるとともに、表示が解除された第２カーソル４４が表示されていた位置に第２カーソル４４に代えて第１カーソル４１（図６および図７の黒塗り矢印）が表示される。
【００４２】
次に、図２〜図４および図１３を参照して、本発明の第１実施形態による映像装置１００のリモートコントローラ１における拡大表示動作の制御フローを説明する。
【００４３】
まず、図１３に示すように、ステップＳ１において、操作ボタン１１（図２および図３参照）が押下されたか否かが制御部１３（図４参照）により判断される。そして、ステップＳ１において、操作ボタン１１が押下されたと判断された場合には、ステップＳ２に進み、制御部１３は、操作ボタン１１の押下に対応する決定解除制御信号を生成して、その決定解除制御信号が発信部１４（図２および図３参照）から発信されるように発信部１４を制御する。そして、ステップＳ３に進む。また、ステップＳ１において、操作ボタン１１が押下されていないと判断された場合には、ステップＳ３に進む。
【００４４】
次に、ステップＳ３において、十字キー１２の端部１２ａ〜１２ｄ（図２および図３参照）のいずれかが押下されたか否かが制御部１３により判断される。そして、ステップＳ３において、十字キー１２の端部１２ａ〜１２ｄのいずれかが押下されたと判断された場合には、ステップＳ４に進み、制御部１３は、十字キー１２の上下左右（Ｘ１、Ｘ２、Ｙ１およびＹ２）の端部１２ａ〜１２ｄのいずれかの押下に対応する移動制御信号を生成して、その移動制御信号が発信部１４から発信されるように発信部１４を制御する。そして、リモートコントローラ１の制御が終了される。また、ステップＳ３において、十字キー１２の端部１２ａ〜１２ｄのいずれも押下されていないと判断された場合には、リモートコントローラ１の制御が終了される。
【００４５】
次に、図１〜図３、図５、図６および図１４を参照して、本発明の第１実施形態による映像装置１００の液晶テレビジョン２の選択画面４への切替時の制御フローを説明する。
【００４６】
まず、図１４に示すように、ステップＳ１１において、表示画面部２２（図１参照）に表示画像３（図１参照）が表示されているか否かが判断される。そして、ステップＳ１１において、表示画面部２２に表示画像３が表示されていると判断された場合には、ステップＳ１２に進む。また、ステップＳ１１において、表示画面部２２に表示画像３が表示されていないと判断された場合には、表示画面部２２に表示画像３が表示されていると判断されるまで、この処理を繰り返す。
【００４７】
次に、ステップＳ１２において、受信部２１（図５参照）が操作ボタン１１（図２および図３参照）の押下に対応する決定解除制御信号を受信したか否かが判断される。そして、ステップＳ１２において、決定解除制御信号を受信したと判断された場合には、ステップＳ１３に進み、図１に示す表示画像３を図６に示す複数のアイコン４０と第１カーソル４１とが表示された選択画面４に切り替える。この後、液晶テレビジョン２の選択画面切替制御が終了される。また、ステップＳ１２において、決定解除制御信号を受信していないと判断された場合には、この処理を繰り返す。
【００４８】
次に、図５〜図８および図１５を参照して、本発明の第１実施形態による映像装置１００の液晶テレビジョン２の第１カーソル４１の移動時の制御フローを説明する。
【００４９】
まず、図１５に示すように、ステップＳ２１において、表示画面部２２（図６参照）に選択画面４（図６参照）が表示されているか否かが判断される。そして、ステップＳ２１において、表示画面部２２に選択画面４が表示されていると判断された場合には、ステップＳ２２に進む。また、ステップＳ２１において、表示画面部２２に選択画面４が表示されていないと判断された場合には、表示画面部２２に選択画面４が表示されていると判断されるまで、この処理を繰り返す。
【００５０】
次に、ステップＳ２２において、表示画面部２２に拡大表示領域４２（図８参照）が表示されているか否かが判断される。そして、ステップＳ２２において、表示画面部２２に拡大表示領域４２が表示されていないと判断された場合には、ステップＳ２３に進む。また、ステップＳ２２において、表示画面部２２に拡大表示領域４２が表示されていると判断された場合には、表示画面部２２に拡大表示領域４２が表示されていると判断されるまで、この処理を繰り返す。
【００５１】
次に、ステップＳ２３において、受信部２１（図５参照）が十字キー１２（図６参照）の端部１２ａ〜１２ｄ（図６参照）のいずれかの押下に対応する移動制御信号を受信したか否かが判断される。そして、ステップＳ２３において、移動制御信号を受信したと判断された場合には、ステップＳ２４に進み、図７に示す第１カーソル４１は、十字キー１２の上下左右の端部１２ａ〜１２ｄの押下に対応して、上下左右（Ｘ３、Ｘ４、Ｙ３およびＹ４）に移動するように表示される。これにより、液晶テレビジョン２の選択画面４における拡大領域４２表示前の制御が終了される。また、ステップＳ２３において、移動制御信号を受信していないと判断された場合には、移動制御信号を受信したと判断されるまで、この処理を繰り返す。
【００５２】
次に、図５〜図１０および図１６を参照して、本発明の第１実施形態による映像装置１００の液晶テレビジョン２の拡大表示領域４２の表示、移動および固定時の制御フローを説明する。
【００５３】
まず、図１６に示すように、ステップＳ３１において、表示画面部２２（図６参照）に選択画面４（図６参照）が表示されているか否かが判断される。そして、ステップＳ３１において、表示画面部２２に選択画面４が表示されていると判断された場合には、ステップＳ３２に進む。また、ステップＳ３１において、表示画面部２２に選択画面４が表示されていないと判断された場合には、表示画面部３２に選択画面４が表示されていると判断されるまで、この処理を繰り返す。
【００５４】
次に、ステップＳ３２において、表示画面部２２に拡大表示領域４２（図８参照）が表示されているか否かが判断される。そして、ステップＳ３２において、表示画面部２２に拡大表示領域４２が表示されていないと判断された場合には、ステップＳ３３に進む。また、ステップＳ３２において、表示画面部２２に拡大表示領域４２が表示されていると判断された場合には、ステップＳ３５に進む。
【００５５】
次に、ステップＳ３３において、受信部２１（図５参照）が操作ボタン１１（図７参照）の押下に対応する決定解除制御信号を受信したか否かが判断される。そして、ステップＳ３３において、決定解除制御信号を受信したと判断された場合には、ステップＳ３４に進み、図８に示す第１カーソル４１の矢印の先端部を中心に、移動可能に表示された楕円形状を有する拡大表示領域４２が表示される。そして、ステップＳ３５に進む。また、ステップＳ３３において、決定解除制御信号を受信していないと判断された場合には、決定解除制御信号を受信したと判断されるまで、この処理を繰り返す。
【００５６】
次に、ステップＳ３５において、決定解除制御信号を受信している状態で、受信部２１において十字キー１２（図８参照）の端部１２ａ〜１２ｄ（図８参照）のいずれかの押下に対応する移動制御信号を受信したか否かが判断される。そして、ステップＳ３５において、移動制御信号を受信したと判断された場合には、ステップＳ３６に進み、図９に示す第１カーソル４１は、十字キー１２の上下左右の端部１２ａ〜１２ｄの押下に対応して、上下左右に移動するように表示されるとともに、第１カーソル４１を中心として形成された拡大表示領域４２も、第１カーソル４１に追従して上下左右（Ｘ３、Ｘ４、Ｙ３およびＹ４）に移動するように表示される。そして、ステップＳ３７に進む。また、ステップＳ３５において、移動制御信号を受信していないと判断された場合には、ステップＳ３７に進む。
【００５７】
次に、ステップＳ３７において、決定解除制御信号の受信が終了したか否かが判断される。そして、ステップＳ３７において、決定解除制御信号の受信が終了したと判断された場合には、ステップＳ３８に進み、図１０に示す拡大表示領域４２が選択画面４上で固定されるように表示される。そして、ステップＳ３９に進み、選択画面４において、第１カーソル４１（図９参照）の表示が解除される。そして、ステップＳ４０に進み、選択画面４において、第１カーソル４１が位置していた位置に、第１カーソル４１に代わって第２カーソル４４が表示される。そして、液晶テレビジョン２の拡大表示領域４２の表示、移動および固定時の制御が終了される。また、ステップＳ３７において、決定解除制御信号の受信が継続していると判断された場合には、ステップＳ３５に戻る。
【００５８】
次に、図５、図１１、図１２および図１７を参照して、本発明の第１実施形態による映像装置１００の液晶テレビジョン２の拡大表示領域４２が固定された状態における制御フローを説明する。
【００５９】
まず、図１７に示すように、ステップＳ４１において、拡大表示領域４２（図１０参照）が固定されているか否かが判断される。そして、ステップＳ４１において、拡大表示領域４２が固定されていると判断された場合には、ステップＳ４２に進む。また、ステップＳ４１において、拡大表示領域４２が固定されていないと判断された場合には、拡大表示領域４２が固定されていると判断されるまで、この処理を繰り返す。
【００６０】
次に、ステップＳ４２において、受信部２１（図５参照）が十字キー１２（図１０参照）の端部１２ａ〜１２ｄ（図１０参照）のいずれかの押下に対応する移動制御信号を受信したか否かが判断される。そして、ステップＳ４２において、移動制御信号を受信したと判断された場合には、ステップＳ４３に進む。また、ステップＳ４２において、移動制御信号を受信していないと判断された場合には、ステップＳ４５に進む。
【００６１】
次に、ステップＳ４３において、第２カーソル４４（図１０参照）が拡大表示領域４２の外縁部を越えて拡大表示領域４２の外に移動しないか否かが判断される。そして、ステップＳ４３において、第２カーソル４４が拡大表示領域４２の外部に移動しないと判断された場合には、ステップＳ４４に進み、図１１に示す第２カーソル４４は、十字キー１２の上下左右の端部１２ａ〜１２ｄの押下に対応して、上下左右（Ｘ３、Ｘ４、Ｙ３およびＹ４）に移動するように表示される。また、ステップＳ４３において、第２カーソル４４が拡大表示領域４２の外に移動すると判断された場合には、ステップＳ４２に戻る。これにより、第２カーソル４４は、拡大表示領域４２の外縁部を越えて拡大表示領域４２の外には移動しない。
【００６２】
次に、ステップＳ４５において、受信部２１が操作ボタン１１（図１１参照）の押下に対応する決定解除制御信号を受信したか否かが判断される。そして、ステップＳ４５において、決定解除制御信号を受信したと判断された場合には、ステップＳ４６に進む。また、ステップＳ４５において、決定解除制御信号を受信していないと判断された場合には、ステップＳ４２に戻る。
【００６３】
次に、ステップＳ４６において、第２カーソル４４が拡大アイコン４３（図１１参照）上に表示されているか否かが判断される。そして、ステップＳ４６において、第２カーソル４４が拡大アイコン４３上に表示されていると判断された場合には、ステップＳ４７に進み、第２カーソル４４が位置する拡大アイコン４３が選択決定される。そして、ステップＳ４８に進み、選択画面４（図１１参照）が終了するとともに、図１２に示す拡大アイコン４３（アイコン４０）に対応するＨＤＤ２５（図５参照）に記憶されている表示画像５が表示画面部２２に表示される。そして、液晶テレビジョン２の拡大表示領域４２が固定された状態における制御が終了される。また、ステップＳ４６において、第２カーソル４４が拡大アイコン４３上に表示されていないと判断された場合には、ステップＳ４９に進み、拡大表示領域４２および第２カーソル４４の表示が解除される。そして、ステップＳ５０に進み、第１カーソル４１が、第２カーソル４４が位置していた位置に第２カーソル４４に代えて表示される。そして、液晶テレビジョン２の拡大表示領域４２が固定された状態における制御が終了される。
【００６４】
第１実施形態では、上記のように、制御部２３によって、操作ボタン１１の押下に基づいて、第１カーソル４１の矢印の先端部の周辺に位置するアイコン４０を含む拡大表示領域４２を表示画面部２２に表示させるとともに、拡大表示領域４２を拡大表示領域４２内に位置する第１カーソル４１の移動に伴って移動させるように制御させることによって、第１カーソル４１を移動させることにより拡大表示領域４２が連続的に移動されて、拡大表示領域４２内において拡大表示される拡大アイコン４３も連続的に変化されるので、拡大表示領域４２を常に表示しながらアイコン４０（拡大アイコン４３）の検索を行うことができる。これにより、拡大表示させながらアイコン４０（拡大アイコン４３）の検索を行う際に、第１カーソル４１の停止と拡大表示領域４２の表示とを繰り返し行う必要がないので、容易にアイコン４０（拡大アイコン４３）を検索することができる。また、拡大表示領域４２内に位置する第１カーソル４１の移動に伴って拡大表示領域４２を移動させることによって、操作者は第１カーソル４１から目を離す必要がない。また、固定された拡大表示領域４２において、第２カーソル４４を拡大表示領域４２外へは移動させずに拡大表示領域４２内で移動可能にすることによって、第２カーソル４４を拡大表示されている拡大アイコン４３の近傍に位置させることができるので、第２カーソル４４を見失う虞が少ない。これらにより、アイコン４０（拡大アイコン４３）を検索しやすくすることができるので、アイコン４０（拡大アイコン４３）の検索時の作業性を向上させることができる。
【００６５】
また、第１実施形態では、上記のように、表示画面部２２内を移動可能で、第１カーソル４１近傍の複数のアイコン４０の拡大表示と拡大表示領域４２の移動とを行う際に用いられる第１カーソル４１と、拡大表示領域４２が固定された状態で、拡大表示領域４２外へは移動せずに拡大表示領域４２内で移動可能で、固定された拡大表示領域４２内の複数の拡大アイコン４３のうちのいずれかを選択する際に用いられる第２カーソル４４とを設けることによって、カーソルが拡大表示領域４２と共に移動する状態（第１カーソル４１）かまたはカーソルが拡大表示領域４２内のみで移動する状態（第２カーソル４４）かのいずれの状態であるかを明確に示すことができるので、よりアイコン４０（拡大アイコン４３）を検索しやすくすることができる。
【００６６】
また、第１実施形態では、上記のように、第１カーソル４１を、拡大表示領域４２が表示した後、拡大表示領域４２が固定される際に表示を解除し、第２カーソル４４を、拡大表示領域４２が固定される際に第１カーソル４１に代えて拡大表示領域４２の中心に表示し、拡大表示領域４２および第２カーソル４４が表示されている状態で、拡大表示領域４２の表示が解除された場合に、第２カーソル４４に代えて第１カーソル４１を表示するように構成することによって、拡大表示領域４２の表示が解除された場合に、容易に第１カーソル４１を用いて、拡大表示領域４２を表示させる操作から再開することができる。
【００６７】
また、第１実施形態では、上記のように、操作ボタン１１の押下を継続した状態で十字キー１２の上下左右（Ｘ１、Ｘ２、Ｙ１およびＹ２）の端部１２ａ〜１２ｄを押下することにより、拡大表示領域４２を、第１カーソル４１の移動に伴って移動するように構成することによって、操作ボタン１１の押下を継続した状態でのみ拡大表示領域４２を移動させることができるので、操作者に拡大表示領域４２の移動を意識的に行わせることができる。これにより、よりアイコン４０（拡大アイコン４３）を検索しやすくすることができる。
【００６８】
また、第１実施形態では、上記のように、操作ボタン１１が継続的に押下されている状態から、操作ボタン１１の押下を解除することにより、拡大表示領域４２を選択画面４上で固定するように構成することによって、操作者は、操作ボタン１１のみを操作するだけで、選択画面４上において拡大表示領域４２の表示から固定までを行うことができる。これにより、よりアイコン４０（拡大アイコン４３）を検索しやすくすることができる。
【００６９】
また、第１実施形態では、上記のように、拡大表示領域４２が固定された状態で、十字キー１２の端部１２ａ〜１２ｄのいずれかを押下することにより、第２カーソル４４を、拡大表示領域４２外へ移動せず、拡大表示領域４２内で移動するように構成することによって、第２カーソル４４は、拡大表示領域４２が固定された状態で、拡大表示領域４２の外へ移動しないので、十字キー１２の上下左右の端部１２ａ〜１２ｄを誤って押下したとしても、第２カーソル４４を見失う虞は少ない。これにより、よりアイコン４０（拡大アイコン４３）を検索しやすくすることができる。
【００７０】
また、第１実施形態では、上記のように、拡大表示領域４２が固定され、かつ、拡大表示領域４２内に位置する拡大アイコン４３上に第２カーソル４４が位置する状態で、操作ボタン１１を押下することにより、第２カーソル４４が位置する拡大アイコン４３が選択決定されるように構成することによって、操作ボタン１１を用いて、拡大表示領域４２内に位置する複数の拡大アイコン４３のうちのいずれか１つを容易に選択決定することができるので、アイコン４０（拡大アイコン４３）の検索後の選択決定も容易に行うことができる。
【００７１】
また、第１実施形態では、上記のように、拡大表示領域４２が固定され、かつ、拡大表示領域４２内に位置する拡大アイコン４３上に第２カーソル４４が位置しない状態で、操作ボタン１１を押下することにより、拡大表示領域４２の表示を解除するとともに、第２カーソル４４から選択画面４上を移動可能な第１カーソル４１に切り替えることによって、誤って拡大表示領域４２を固定した場合においても、操作ボタン１１を用いることにより、容易に拡大表示領域４２および第２カーソル４４の表示を解除することができる。また、拡大表示領域４２および第２カーソル４４の表示の解除後に、第１カーソル４１により拡大表示領域４２を再び表示させて移動させるとともに、再度拡大表示領域４２を固定することによって、適切な位置で固定された拡大表示領域４２において、再度表示された第２カーソル４４を用いてアイコン４０（拡大アイコン４３）の選択および決定を行うことができる。
【００７２】
（第２実施形態）
図１８〜図２０を参照して、この第２実施形態によるノートパソコン２００では、上記第１実施形態と異なり、ノートパソコン２００のキーボード２２６およびタッチパッド２２７により表示画面部２２における拡大表示に関する操作を行うとともに、第２カーソル４４が拡大アイコン４３間を選択的に移動する場合について説明する。なお、ノートパソコン２００は、本発明の「表示装置」の一例である。
【００７３】
本発明の第２実施形態によるノートパソコン２００は、図１８に示すように、筐体２２０の上部（Ｘ７方向側）には、表示画面部２２が配置されているとともに、筐体２２０の下部（Ｘ８方向側）には、キーボード２２６およびタッチパッド２２７が配置されている。また、キーボード２２６は、筐体２２０の下部のＸ５方向側に配置されており、決定ボタン２２６ａおよび解除ボタン２２６ｂを有する。このキーボード２２６の決定ボタン２２６ａは、操作者の押下によりノートパソコン２００の表示画面部２２に表示されるアイコン４０の決定と拡大表示領域４２（図２０参照）の決定とを行う際に用いる。また、キーボード２２６の解除ボタン２２６ｂは、操作者の押下によりノートパソコン２００の表示画面部２２に表示される拡大表示領域４２の解除を行う際に用いる。また、タッチパッド２２７は、筐体２２０の下部のＸ６方向側の中央に配置されており、操作者の指を接触させた状態で指を上下左右（Ｘ５、Ｘ６、Ｙ５およびＹ６）に滑らせる（タッチパッド２２７を操作する）ことによりノートパソコン２００の表示画面部２２の第１カーソル４１および第２カーソル４４の上下左右（Ｘ７、Ｘ８、Ｙ５およびＹ６）移動に関する信号を制御部２２３に出力する機能を有する。なお、キーボード２２６は、本発明の「第１操作部」および「操作部」の一例であり、タッチパッド２２７は、本発明の「第２操作部」および「操作部」の一例である。
【００７４】
また、ノートパソコン２００は、図１９に示すように、制御部２２３と、記憶部２４と、ＨＤＤ２５とをさらに備える。また、制御部２２３は、キーボード２２６の決定ボタン２２６ａおよび解除ボタン２２６ｂの押下に対応して、アイコン４０の決定と拡大表示領域４２の決定および解除とに対応する処理を行うとともに、タッチパッド２２７から出力された信号に対応して、表示画面部２２の第１カーソル４１および第２カーソル４４の上下左右移動に対応する処理を行う機能を有する。また、制御部２２３は、上記処理に対応する表示内容を表示画面部２２に出力する機能も有する。ここで、第２実施形態では、第１実施形態におけるリモートコントローラ１は設けられていない。これにより、ノートパソコン２００には、第１実施形態における送信部１４および受信部２１は設けられていない。なお、第２実施形態のその他の構造は、第１実施形態と同様である。
【００７５】
次に、図１８、図２０および図２１を参照して、本発明の第２実施形態によるノートパソコン２００の拡大表示動作の概略を説明する。
【００７６】
第２実施形態によるノートパソコン２００のアイコン拡大動作において、第１カーソル４１および拡大表示領域４２が選択画面４に表示された状態で、操作者がキーボード２２６の決定ボタン２２６ａの押下を解除することによって、図２０に示すように、拡大表示領域４２が選択画面４（表示画面部２２）上で固定されるように表示される。そして、選択画面４において、第１カーソル４１の表示が解除され、第１カーソル４１に代わって第２カーソル４４が拡大アイコン４３のうち左上の拡大アイコン４３上（拡大アイコン４３ｂ（Ａ２）上）に表示される。
【００７７】
また、拡大表示領域４２および第２カーソル４４が選択画面４に表示された状態で、操作者がタッチパッド２２７に指を接触させた状態で指を上下左右（Ｘ５、Ｘ６、Ｙ５およびＹ６）に滑らせることによって、図２１に示すように、第２カーソル４４は、タッチパッド２２７上の上下左右の移動に対応して、上下左右（Ｘ７、Ｘ８、Ｙ５およびＹ６）に移動するように表示される。この際、第２カーソル４４は、拡大表示領域４２内の複数の拡大アイコン４３を跨いで、複数の拡大アイコン４３の間を選択的に移動するように表示される。たとえば、図２０において第２カーソル４４が拡大アイコン４３ｂ（Ａ２）上に位置している状態で、操作者がタッチパッド２２７に指を接触させた状態で指を右方向（Ｙ６方向）に滑らせることによって、第２カーソル４４が拡大アイコン４３ｅ（Ｂ２）に移動される。
【００７８】
また、拡大表示領域４２および第２カーソル４４が選択画面４に表示された状態で、操作者がキーボード２２６の解除ボタン２２６ｂを押下することによって、図１８に示すように、拡大表示領域４２および第２カーソル４４の表示が解除されるとともに、第２カーソル４４に代えて第１カーソル４１が選択画面４の中央部に表示される。なお、第２実施形態のその他の表示動作は、第１実施形態における操作ボタン１１の動作をキーボード２２６の決定ボタン２２６ａによって行うとともに、第１実施形態における十字キー１２の動作をタッチパッド２２７によって行う点を除いて、第１実施形態と同様である。
【００７９】
次に、図１８および図２２を参照して、本発明の第２実施形態によるノートパソコン２００の選択画面４への切替時の制御フローを説明する。
【００８０】
まず、図２２に示すように、ステップＳ２１１において、表示画面部２２（図１８参照）に表示画像（図示せず）が表示されているか否かが判断される。そして、ステップＳ２１１において、表示画面部２２に表示画像が表示されていると判断された場合には、ステップＳ２１２に進む。また、ステップＳ２１１において、表示画面部２２に表示画像が表示されていないと判断された場合には、この処理を繰り返す。
【００８１】
次に、ステップＳ２１２において、キーボード２２６（図１８参照）の決定ボタン２２６ａ（図１８参照）が押下されたか否かが判断される。そして、ステップＳ２１２において、決定ボタン２２６ａが押下されたと判断された場合には、ステップＳ２１３に進み、表示画像を図１８に示す複数のアイコン４０および第１カーソル４１が表示された選択画面４に切り替える。この後、ノートパソコン２００の選択画面切替制御が終了される。また、ステップＳ２１２において、決定ボタン２２６ａが押下されていないと判断された場合には、この処理を繰り返す。
【００８２】
次に、図１８、図２０および図２３を参照して、本発明の第２実施形態によるノートパソコン２００の第１カーソル４１の移動時の制御フローを説明する。
【００８３】
まず、図２３に示すように、ステップＳ２２１において、表示画面部２２（図１８参照）に選択画面４（図１８参照）が表示されているか否かが判断される。そして、ステップＳ２２１において、表示画面部２２に選択画面４が表示されていると判断された場合には、ステップＳ２２２に進む。また、ステップＳ２２１において、表示画面部２２に選択画面４が表示されていないと判断された場合には、表示画面部２２に選択画面４が表示されていると判断されるまで、この処理を繰り返す。
【００８４】
次に、ステップＳ２２２において、表示画面部２２に拡大表示領域４２（図２０参照）が表示されているか否かが判断される。そして、ステップＳ２２２において、表示画面部２２に拡大表示領域４２が表示されていないと判断された場合には、ステップＳ２２３に進む。また、ステップＳ２２２において、表示画面部２２に拡大表示領域４２が表示されていると判断された場合には、表示画面部２２に拡大表示領域４２が表示されていると判断されるまで、この処理を繰り返す。
【００８５】
次に、ステップＳ２２３において、タッチパッド２２７上で指が上下左右（Ｘ５、Ｘ６、Ｙ５およびＹ６）のいずれかの方向に滑らされたか否かが判断される。そして、ステップＳ２２３において、タッチパッド２２７上で指が上下左右のいずれかの方向に滑らされたと判断された場合には、ステップＳ２２４に進み、第１カーソル４１（図１８参照）は、タッチパッド２２７上の上下左右の移動に対応して、上下左右（Ｘ７、Ｘ８、Ｙ５およびＹ６）に移動するように表示される。そして、ノートパソコン２００の選択画面４における拡大領域４２表示前の制御が終了される。また、ステップＳ２２３において、タッチパッド２２７上で指が上下左右のいずれかの方向にも滑らされていないと判断された場合には、タッチパッド２２７上で指が上下左右のいずれかの方向に滑らされたと判断されるまで、この処理を繰り返す。
【００８６】
次に、図２０および図２４を参照して、本発明の第２実施形態によるノートパソコン２００の拡大表示領域４２の表示、移動および固定時の制御フローを説明する。
【００８７】
まず、図２４に示すように、ステップＳ２３１において、表示画面部２２（図２０参照）に選択画面４（図２０参照）が表示されているか否かが判断される。そして、ステップＳ２３１において、表示画面部２２に選択画面４が表示されていると判断された場合には、ステップＳ２３２に進む。また、ステップＳ２３１において、表示画面部２２に選択画面４が表示されていないと判断された場合には、表示画面部３２に選択画面４が表示されていると判断されるまで、この処理を繰り返す。
【００８８】
次に、ステップＳ２３２において、表示画面部２２に拡大表示領域４２（図２０参照）が表示されているか否かが判断される。そして、ステップＳ２３２において、表示画面部２２に拡大表示領域４２が表示されていないと判断された場合には、ステップＳ２３３に進む。また、ステップＳ２３２において、表示画面部２２に拡大表示領域４２が表示されていると判断された場合には、ステップＳ２３５に進む。
【００８９】
次に、ステップＳ２３３において、キーボード２２６（図２０参照）の決定ボタン２２６ａ（図２０参照）が押下されたか否かが判断される。そして、ステップＳ２３３において、決定ボタン２２６ａが押下されたと判断された場合には、ステップＳ２３４に進み、図２０に示す第１カーソル４１の矢印の先端部を中心に、移動可能に表示された楕円形状を有する拡大表示領域４２が表示される。そして、ステップＳ２３５に進む。また、ステップＳ２３３において、決定ボタン２２６ａが押下されていないと判断された場合には、決定ボタン２２６ａが押下されたと判断されるまで、この処理を繰り返す。
【００９０】
次に、ステップＳ２３５において、決定ボタン２２６ａが押下されている状態で、タッチパッド２２７（図２０参照）上で指が上下左右のいずれかの方向に滑らされたか否かが判断される。そして、ステップＳ２３５において、タッチパッド２２７上で指が上下左右のいずれかの方向に滑らされたと判断された場合には、ステップＳ２３６に進み、第１カーソル４１は、タッチパッド２２７上の上下左右の移動に対応して、上下左右に移動するように表示されるとともに、第１カーソル４１を中心として形成された拡大表示領域４２も、第１カーソル４１に追従して上下左右（Ｘ７、Ｘ８、Ｙ５およびＹ６）に移動するように表示される。そして、ステップＳ２３７に進む。また、ステップＳ２３５において、タッチパッド２２７上で指が上下左右のいずれかの方向にも滑らされていないと判断された場合には、ステップＳ２３７に進む。
【００９１】
次に、ステップＳ２３７において、決定ボタン２２６ａの押下が解除されたか否かが判断される。そして、ステップＳ２３７において、決定ボタン２２６ａの押下が解除されたと判断された場合には、ステップＳ２３８に進み、図２０に示す拡大表示領域４２が選択画面４上で固定されるように表示される。そして、ステップＳ２３９に進み、選択画面４において、第１カーソル４１の表示が解除される。そして、ステップＳ２４０に進み、選択画面４において、第１カーソル４１に代わって第２カーソル４４が拡大アイコン４３のうち左上の拡大アイコン４３上（拡大アイコン４３ｂ（Ａ２）上）に表示される。そして、ノートパソコン２００の拡大表示領域４２の表示、移動および固定時の制御が終了される。また、ステップＳ２３７において、決定ボタン２２６ａの押下が解除されていないと判断された場合には、ステップＳ２３５に戻る。
【００９２】
次に、図１８〜図２１および図２５を参照して、本発明の第２実施形態によるノートパソコン２００の拡大表示領域４２が固定された状態における制御フローを説明する。
【００９３】
まず、図２５に示すように、ステップＳ２４１において、拡大表示領域４２（図２０参照）が固定されているか否かが判断される。そして、ステップＳ２４１において、拡大表示領域４２が固定されていると判断された場合には、ステップＳ２４２に進む。また、ステップＳ２４１において、拡大表示領域４２が固定されていないと判断された場合には、拡大表示領域４２が固定されていると判断されるまで、この処理を繰り返す。
【００９４】
次に、ステップＳ２４２において、タッチパッド２２７（図２０参照）上で指が上下左右のいずれかの方向に滑らされたか否かが判断される。そして、ステップＳ２４２において、タッチパッド２２７上で指が上下左右のいずれかの方向に滑らされたと判断された場合には、ステップＳ２４３に進み、図２１に示す第２カーソル４４は、タッチパッド２２７上の上下左右の移動に対応して、拡大表示領域４２内の拡大アイコン４３を跨いで、複数の拡大アイコン４３の間を選択的に移動するように表示される。そして、ステップＳ２４４に進む。また、ステップＳ２４２において、タッチパッド２２７上で指が上下左右のいずれの方向にも滑らされていないと判断された場合には、ステップＳ２４４に進む。
【００９５】
次に、ステップＳ２４４において、キーボード２２６（図２１参照）の決定ボタン２２６ａ（図２１参照）が押下されたか否かが判断される。そして、ステップＳ２４４において、決定ボタン２２６ａが押下されたと判断された場合には、ステップＳ２４５に進み、第２カーソル４４が位置する拡大アイコン４３が選択決定される。そして、ステップＳ２４６に進み、選択画面４が終了するとともに、拡大アイコン４３（アイコン４０）に対応するＨＤＤ２５（図１９参照）に記憶されている表示画像（図示せず）が表示画面部２２に表示される。そして、ノートパソコン２００の拡大表示領域４２が固定された状態における制御が終了される。また、ステップＳ２４４において、決定ボタン２２６ａが押下されていないと判断された場合には、ステップＳ２４７に進む。
【００９６】
次に、ステップＳ２４７において、キーボード２２６の解除ボタン２２６ｂ（図２１参照）が押下されたか否かが判断される。そして、ステップＳ２４７において、解除ボタン２２６ｂが押下されたと判断された場合には、ステップＳ２４８に進み、拡大表示領域４２および第２カーソル４４の表示が解除される。そして、ステップＳ２４９に進み、第２カーソル４４に代えて図１８に示す第１カーソル４１が選択画面４の中央部に表示される。そして、ノートパソコン２００の拡大表示領域４２が固定された状態における制御が終了される。また、ステップＳ２４７において、解除ボタン２２６ｂが押下されていないと判断された場合には、ステップＳ２４２に戻る。
【００９７】
第２実施形態では、上記のように、第２カーソル４４を、拡大表示領域４２が固定された状態で、拡大表示領域４２内の複数の拡大アイコン４３を跨いで、複数の拡大アイコン４３の間を移動するように構成することによって、選択対象である拡大アイコン４３上のみを第２カーソル４４が移動するので、第２カーソル４４の位置を見失う虞をさらに少なくすることができるので、さらにアイコン４０（拡大アイコン４３）の検索時の作業性を向上させることができる。なお、第２実施形態のその他の効果は、第１実施形態と同様である。
【００９８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９９】
たとえば、上記第１および第２実施形態では、液晶テレビジョン２を含む映像装置１００およびノートパソコン２００に本発明を適用した例を示したが、本発明はこれに限らず、たとえば、表示部と操作部と制御部とを備えた表示装置であれば、映像装置やノートパソコン以外のたとえばＰＤＡ（携帯情報端末）やデスクトップ型のＰＣ（パーソナルコンピュータ）などに本発明を適用することができる。
【０１００】
また、上記第１および第２実施形態では、カーソルを、第１カーソル４１と第２カーソル４４とからなるように構成した例を示したが、本発明はこれに限らず、カーソルが拡大表示領域を表示部に表示させた状態において、拡大表示領域を伴って移動可能であるとともに、拡大表示領域を表示部上に固定した状態において、拡大表示領域内でのみ移動可能であるように構成されていれば、カーソルは１つのカーソルからなるように構成してもよい。
【０１０１】
また、上記第１実施形態では、操作者は操作ボタン１１および十字キー１２を用いて、拡大表示動作を操作する例を示したが、本発明はこれに限らず、たとえば、操作ボタンを用いずに、十字キーの中心部での押下に反応させて、決定および解除を行うように構成してもよい。
【０１０２】
また、上記第２実施形態では、操作者はキーボード２２６およびタッチパッド２２７を用いて、拡大表示動作を指示した例を示したが、本発明はこれに限らず、たとえば、タッチパッドを用いずに、キーボードの残りのボタンを対応させることによって、カーソルを上下左右に動かしてもよい。また、キーボードを用いずに、タッチパッドの押下によって、決定および解除を行うように構成してもよい。また、タッチパッドやキーボードを用いずに、マウス（ポインティングデバイス）を用いて、カーソルを上下左右に動かしてもよい。
【０１０３】
また、上記第１および第２実施形態では、本発明の「選択項目」として、ＨＤＤ２５に記憶されている複数の表示画像にそれぞれ対応するアイコン４０を用いた例を示したが、本発明はこれに限らず、表示部に表示される複数の選択項目であれば特にアイコンに限定されず、文字などの情報であってもよい。また、アイコンは、複数の音楽データやアプリケーションソフトなどと対応するように構成されてもよい。
【０１０４】
また、上記第１および第２実施形態では、操作ボタン１１および決定ボタン２２６ａを押下した状態で、第１カーソル４１とともに拡大表示領域４２を移動させた例を示したが、本発明はこれに限らず、操作ボタンおよび決定ボタンの押下を解除した状態で、第１カーソルとともに拡大表示領域を移動させるとともに、再度操作ボタンおよび決定ボタンを押下することによって拡大表示領域を固定させるように構成してもよい。
【０１０５】
また、上記第１および第２実施形態では、記憶部２４とＨＤＤ２５とを別途設けた例を示したが、本発明はこれに限らず、記憶部またはＨＤＤのいずれか一方に両方の機能を集約させてもよい。
【０１０６】
また、上記第１および第２実施形態では、楕円形状を有する拡大表示領域４２を第１カーソル４１の矢印の先端部を中心に表示した例を示したが、本発明はこれに限らず、拡大表示領域の範囲および形状は特に限定されない。
【０１０７】
また、上記第１および第２実施形態では、拡大表示領域４２内において、アイコン４０が約２倍に拡大表示されることによって拡大アイコン４３を表示した例を示したが、本発明はこれに限らず、拡大表示領域内におけるアイコンの拡大倍率は、特に限定されない。たとえば、拡大表示領域の大きさおよび拡大表示領域内に表示する拡大アイコンの数などによって、制御部によって適宜決定されるように構成してもよいし、操作者が任意に拡大倍率を変化させることができるように構成してもよい。
【０１０８】
また、上記第１および第２実施形態では、拡大表示領域４２内において、拡大アイコン４３が４つ表示された例を示したが、本発明はこれに限らず、拡大表示領域内におけるアイコンの数は特に限定されない。
【０１０９】
また、上記第１および第２実施形態では、第１カーソル４１の矢印の先端部を中心に、拡大表示領域４２が表示される例を示したが、本発明はこれに限らず、拡大表示領域が表示される位置は、第１カーソルが拡大表示領域の内部に配置されていれば、特に限定されない。
【０１１０】
また、上記第１および第２実施形態では、操作ボタン１１、十字キー１２、キーボード２２６およびタッチパッド２２７を用いて拡大表示動作に関する操作を行う例を示したが、本発明はこれに限らず、トラックボールやホイールなどの入力装置を用いて、拡大表示動作に関する操作を行うように構成してもよいし、加速度センサやジャイロセンサを用いてリモートコントローラなどを２次元的または３次元的に動かすことによって、拡大表示動作に関する操作を行うように構成してもよい。
【符号の説明】
【０１１１】
１１  操作ボタン（第１操作部、操作部）
１２  十字キー（第２操作部、操作部）
２２  表示画面部（表示部）
２３  制御部
４０（４０ａ〜４０ｆ）  アイコン（選択項目）
４１  第１カーソル（カーソル）
４２  拡大表示領域
４４  第２カーソル（カーソル）
１００  映像装置（表示装置）
２００  ノートパソコン（表示装置）
２２６  キーボード（第１操作部、操作部）
２２７  タッチパッド（第２操作部、操作部）
【図１】
2010165291.tif 000003
【図２】
2010165291.tif 000004
【図３】
2010165291.tif 000005
【図４】
2010165291.tif 000006
【図５】
2010165291.tif 000007
【図６】
2010165291.tif 000008
【図７】
2010165291.tif 000009
【図８】
2010165291.tif 000010
【図９】
2010165291.tif 000011
【図１０】
2010165291.tif 000012
【図１１】
2010165291.tif 000013
【図１２】
2010165291.tif 000014
【図１３】
2010165291.tif 000015
【図１４】
2010165291.tif 000016
【図１５】
2010165291.tif 000017
【図１６】
2010165291.tif 000018
【図１７】
2010165291.tif 000019
【図１８】
2010165291.tif 000020
【図１９】
2010165291.tif 000021
【図２０】
2010165291.tif 000022
【図２１】
2010165291.tif 000023
【図２２】
2010165291.tif 000024
【図２３】
2010165291.tif 000025
【図２４】
2010165291.tif 000026
【図２５】
2010165291.tif 000027